(57)【特許請求の範囲】
【請求項１】
地上でフロアプレートの下にダクトを配設してフロアユニットとし、柱と梁を形成した後に前記フロアユニットを揚重して据え付けるユニットフロア工法であって、
前記梁に開口を形成してスリーブを取り付け、
ダクトの軸心が接続予定のスリーブの軸心と一致するように、前記ダクトを前記フロアプレートに配設し、前記ダクトおよびスリーブの開口端部の少なくとも一方に、この開口端部に嵌合して軸方向にスライド自在なスライド継手を設け、
前記フロアユニットを据え付けた後に、前記スライド継手を対向する開口端部側にスライドさせて前記ダクトとスリーブとを接続する、
ことを特徴とするユニットフロア工法。
【請求項２】
地上でフロアプレートの下にダクトを配設してフロアユニットとし、柱と梁を形成した後に前記フロアユニットを揚重して据え付けるユニットフロア工法であって、
前記梁に開口を形成してスリーブを取り付け、
ダクトの軸方向が接続予定のスリーブの軸方向と一致するように、前記ダクトを前記フロアプレートに配設し、かつ、前記ダクトの開口端部にフレキシブル継手を配設し、
前記フロアユニットを据え付けた後に、前記フレキシブル継手の端部を前記スリーブの開口端部に接続して、前記ダクトとスリーブとを接続する、
ことを特徴とするユニットフロア工法。
【請求項３】
前記梁を構成する鋼材に予め地上で前記開口を形成して前記スリーブを取り付け、この梁を前記柱に設置して、前記フロアユニットを前記梁上に据え付ける、
ことを特徴とする請求項１または２のいずれか１項に記載のユニットフロア工法。
【請求項４】
地上でフロアプレートの下にダクトを配設し梁と一体化してフロアユニットとし、柱を形成した後に前記フロアユニットを揚重して据え付けるユニットフロア工法であって、
前記梁に開口を形成してスリーブを取り付け、
ダクトの軸心が接続予定のスリーブの軸心と一致するように、前記ダクトを前記フロアプレートに配設し、前記ダクトおよびスリーブの開口端部の少なくとも一方に、この開口端部に嵌合して軸方向にスライド自在なスライド継手を設け、
前記フロアユニットを据え付けた後に、前記スライド継手を対向する開口端部側にスライドさせて前記ダクトとスリーブとを接続する、
ことを特徴とするユニットフロア工法。
【請求項５】
地上でフロアプレートの下にダクトを配設し梁と一体化してフロアユニットとし、柱を形成した後に前記フロアユニットを揚重して据え付けるユニットフロア工法であって、
前記梁に開口を形成してスリーブを取り付け、
ダクトの軸方向が接続予定のスリーブの軸方向と一致するように、前記ダクトを前記フロアプレートに配設し、かつ、前記ダクトの開口端部にフレキシブル継手を配設し、
前記フロアユニットを据え付けた後に、前記フレキシブル継手の端部を前記スリーブの開口端部に接続して、前記ダクトとスリーブとを接続する、
ことを特徴とするユニットフロア工法。
【請求項６】
請求項１〜５のいずれか１項に記載のユニットフロア工法において、
前記フロアユニットの製作は構築途上の建物内で行い、保管に際しては、前記フロアユニットのダクトを下側に向けた状態で鋼材フレームの上に前記フロアユニットを載置する、
ことを特徴とするユニットフロア工法。
【請求項７】
請求項１〜６のいずれか１項に記載のユニットフロア工法において、
空調機を収容する機械室側から前記フロアユニット側に向けて、前記空調機のダクトを突出させ、
前記空調機を外部から仕切りダクト貫通口が形成された間仕切りを、前記ダクト貫通口に前記空調機のダクトを貫通させて建て込み、
前記フロアユニットのダクトと前記空調機のダクトとを接続する、
ことを特徴とするユニットフロア工法。
【請求項８】
請求項１〜６のいずれか１項に記載のユニットフロア工法において、
空調機を機械室に据え付ける前に、前記空調機に接続されるべき空調機のダクトを前記フロアユニット側に向けて前記機械室に吊り込むステップと、
前記空調機を外部から仕切りダクト貫通口が形成された間仕切りを、前記ダクト貫通口に前記空調機のダクトを貫通させて建て込むステップと、
前記空調機と空調機のダクトとを接続するステップと、
前記フロアユニットのダクトと前記空調機のダクトとを接続するステップと、を有する、
ことを特徴とするユニットフロア工法。
【発明の詳細な説明】
【技術分野】
【０００１】
この発明は、床材にダクトや配管などの設備機器を予め組み付けて据え付けるユニットフロア工法に関する。
【背景技術】
【０００２】
建築工事において、工程短縮や、品質の安定、安全性の向上などを図るために、建物の床を構成する床材にダクトや配管などの設備機器を予め組み付けたフロアユニットを、揚重して据え付けるユニットフロア工法（ユニットスラブ工法）が知られている。このユニットフロア工法では、全体の床面積が大きい場合には、全体の床を分割した複数のフロアユニットを据え付けることになり、隣接するユニット間のダクトや配管を接合する必要が生じる。また、コンクリート製の天井スラブとその下に位置する天井ボードとの間の空間（天井空間）の高さが、設備機器を配設するのに十分な高さを有さない場合には、ダクトや配管などを梁に貫通させる必要が生じる。
【０００３】
ところで、梁と設備機器などとの干渉を防ぐために、梁を自由に配設できるようにした技術（例えば、特許文献１参照。）や、梁の仮支持および梁と柱との継手を兼ねたサポートを設けた技術（例えば、特許文献２参照。）が知られている。しかし、これらの技術では、施工が大掛かりとなり、また、床の下にダクトなどを吊り下げ、設置後にコンクリートを打設するタイプのフロアユニットには適用できない。このため、梁にダクトなどを貫通させる開口を形成して実管スリーブを取り付け、この実管スリーブにダクトなどを接続する方法が考えられていた。
【特許文献１】特開平０７−０７６９４３号公報
【特許文献２】特開平１１−２００６３３号公報
【発明の開示】
【発明が解決しようとする課題】
【０００４】
しかしながら、実管スリーブとダクトとの軸心を一致させて、かつ接するほどに近接させて実管スリーブとダクトとをそれぞれ配設することは困難で、両者間に位置ずれや隙間が生じてしまう。このため、現場にて短管（調整管）を製作し、実管スリーブとダクトとを短管を介して接続する必要が生じる。さらに、梁に開口を形成すると、建築構造の強度に影響を与えるため、開口作業や開口後の補強は慎重に行う必要がある。また、通常のユニットフロア工法では、設置する床以外の躯体が形成される必要があり、工程が天候に大きく左右されていた。
【０００５】
さらに、ユニットフロア工法では、フロアユニットの設置によりダクトや配管などの設置が終了するが、ダクトの給気源である空調機は、重量機器であるため床置きとならざるを得ない。このため、空調機をフロアユニットに組み込むことはできず、空調機の施工をダクトの設置と同時期に行うことができない。これに対し、空調機の給気ダクトと設置が完了したフロアユニットのダクトとの接続を、フロアユニット間のダクト同士の接続工程や、フロアユニットのダクトと梁のスリーブとの接続工程と同時に行えるようになれば、施工性は従来に比べて格段に良好となる。
【０００６】
そこでこの発明は、ダクトとスリーブとの接続などを容易に行うことが可能なユニットフロア工法を提供することを目的とする。
【課題を解決するための手段】
【０００７】
上記目的を達成するために請求項１に記載の発明は、地上でフロアプレートの下にダクトを配設してフロアユニットとし、柱と梁を形成した後に前記フロアユニットを揚重して据え付けるユニットフロア工法であって、前記梁に開口を形成してスリーブを取り付け、ダクトの軸心が接続予定のスリーブの軸心と一致するように、前記ダクトを前記フロアプレートに配設し、前記ダクトおよびスリーブの開口端部の少なくとも一方に、この開口端部に嵌合して軸方向にスライド自在なスライド継手を設け、前記フロアユニットを据え付けた後に、前記スライド継手を対向する開口端部側にスライドさせて前記ダクトとスリーブとを接続する、ことを特徴とする。
【０００８】
請求項２に記載の発明は、地上でフロアプレートの下にダクトを配設してフロアユニットとし、柱と梁を形成した後に前記フロアユニットを揚重して据え付けるユニットフロア工法であって、前記梁に開口を形成してスリーブを取り付け、ダクトの軸方向が接続予定のスリーブの軸方向と一致するように、前記ダクトを前記フロアプレートに配設し、かつ、前記ダクトの開口端部にフレキシブル継手を配設し、前記フロアユニットを据え付けた後に、前記フレキシブル継手の端部を前記スリーブの開口端部に接続して、前記ダクトとスリーブとを接続する、ことを特徴とする。
【０００９】
請求項３に記載の発明は、請求項１または２に記載のユニットフロア工法において、前記梁を構成する鋼材に予め地上で前記開口を形成して前記スリーブを取り付け、この梁を前記柱に設置して、前記フロアユニットを前記梁上に据え付ける、ことを特徴とする。
【００１０】
請求項４に記載の発明は、地上でフロアプレートの下にダクトを配設し梁と一体化してフロアユニットとし、柱を形成した後に前記フロアユニットを揚重して据え付けるユニットフロア工法であって、前記梁に開口を形成してスリーブを取り付け、ダクトの軸心が接続予定のスリーブの軸心と一致するように、前記ダクトを前記フロアプレートに配設し、前記ダクトおよびスリーブの開口端部の少なくとも一方に、この開口端部に嵌合して軸方向にスライド自在なスライド継手を設け、前記フロアユニットを据え付けた後に、前記スライド継手を対向する開口端部側にスライドさせて前記ダクトとスリーブとを接続する、ことを特徴とする。
【００１１】
請求項５に記載の発明は、地上でフロアプレートの下にダクトを配設し梁と一体化してフロアユニットとし、柱を形成した後に前記フロアユニットを揚重して据え付けるユニットフロア工法であって、前記梁に開口を形成してスリーブを取り付け、ダクトの軸方向が接続予定のスリーブの軸方向と一致するように、前記ダクトを前記フロアプレートに配設し、かつ、前記ダクトの開口端部にフレキシブル継手を配設し、前記フロアユニットを据え付けた後に、前記フレキシブル継手の端部を前記スリーブの開口端部に接続して、前記ダクトとスリーブとを接続する、ことを特徴とする。
【００１２】
請求項６に記載の発明は、請求項１から５に記載のユニットフロア工法において、前記フロアユニットの製作は構築途上の建物内で行い、保管に際しては、前記フロアユニットのダクトを下側に向けた状態で鋼材フレームの上に前記フロアユニットを載置する、ことを特徴とする。
【００１３】
請求項７に記載の発明は、請求項１から６に記載のユニットフロア工法において、空調機を収容する機械室側から前記フロアユニット側に向けて、前記空調機のダクトを突出させ、前記空調機を外部から仕切りダクト貫通口が形成された間仕切りを、前記ダクト貫通口に前記空調機のダクトを貫通させて建て込み、前記フロアユニットのダクトと前記空調機のダクトとを接続する、ことを特徴とする。
【００１４】
請求項８に記載の発明は、請求項１から６に記載のユニットフロア工法において、空調機を機械室に据え付ける前に、前記空調機に接続されるべき空調機のダクトを前記フロアユニット側に向けて前記機械室に吊り込むステップと、前記空調機を外部から仕切りダクト貫通口が形成された間仕切りを、前記ダクト貫通口に前記空調機のダクトを貫通させて建て込むステップと、前記空調機と空調機のダクトとを接続するステップと、前記フロアユニットのダクトと前記空調機のダクトとを接続するステップと、を有する、ことを特徴とする。
【発明の効果】
【００１５】
請求項１および４に記載の発明によれば、フロアユニットを据え付けた際に、ダクトとスリーブとの間に隙間が生じていても、スライド継手を対向する開口端部側にスライドさせることで、スライド継手を介してダクトとスリーブとが接続される。このため、隙間が生じていても、現場にて短管を製作することなく、ダクトとスリーブとの接続を容易に行うことができる。
【００１６】
請求項２および５に記載の発明によれば、フロアユニットを据え付けた際に、ダクトとスリーブとにずれが生じていても（双方の軸心が一致していなくても）、フレキシブル継手をずれに合わせて曲げながらスリーブに接続することで、フレキシブル継手を介してダクトとスリーブとが接続される。このため、ずれが生じていても、現場にて短管を製作することなく、ダクトとスリーブとの接続を容易に行うことができる。
【００１７】
請求項３に記載の発明によれば、予め地上で梁（鋼材）にスリーブを取り付けるため、柱に設置した後に取り付ける場合に比べて、その取り付け作業を容易、安全に、かつ精度高く行うことができる。さらに、梁（建築構造）の強度に影響を与え、慎重を要する開口の開口作業や開口後の補強を、安定して行うことができる。
【００１８】
請求項４および５に記載の発明によれば、クレーン等による吊り上げ（揚重）の機会が少なくなるため、強風や降雨の日を避けて揚重作業を行うことがし易くなる。また、梁やダクトなどの吊り上げ資材がフロアプレートの下に保持（配設）されるため、その保護・保管や管理などが容易となる。
【００１９】
請求項６に記載の発明によれば、フロアユニットの製作を構築途上の建物内で行い、その保管を鋼材フレームの上に載置して行うため、建築現場での作業スペースが整然とし、また、フロアユニットの吊り上げ工程を標準化することが可能となる。
【００２０】
請求項７、８に記載の発明によれば、間仕切りを建て込んで空調機を外部から仕切った状態では、間仕切りのダクト貫通口から空調機のダクトが貫通（突出）した状態となる。このため、その後、フロアユニットのダクトと空調機のダクトとの接続を、フロアユニットのダクトと梁のスリーブとの接続などと同時に行うことが可能となり、施工性が向上する。
【発明を実施するための最良の形態】
【００２１】
以下、この発明を図示の実施の形態に基づいて説明する。
【００２２】
（実施の形態１）
図１は、この実施の形態に係るフロアユニット１を示す見上げ図（下からフロアユニット１を見上げた図）である。このフロアユニット１は、建物の床を構成するユニットで、この実施の形態では、対象建物の南側の一角に配置され、その左右に同様なゾーン（フロアユニット）が配置される。このようなゾーンが、建物の中央に配設された機械室やエレベータホールなどの共用ゾーンをとりまく形で、対称に配置されている。
【００２３】
フロアユニット１は、フロアプレートとしてのデッキプレート（鋼製床型枠）２の下面側（図１の表面側）に、角ダクトや丸ダクトのスパイラルダクト（以下、単に「ダクト」という）３、３１、３３や、可変風量装置４、風量調整ダンパ５などが吊ボルトで吊られている。具体的には、図中の上方(北側)が後述する空調機７側で、２つの主ダクト３で分流され、この主ダクト３から複数の分岐ダクト３１が分岐されている。なお、図１の左側の主ダクト３は還元ダクトであり、右側の主ダクト３は給気ダクトである。各分岐ダクト３１は図中水平方向に直線状に延び、その軸心は、接続予定のスリーブ、つまり後述する大梁（梁）６の各スリーブ６１の軸心と一致するように配設されている。
【００２４】
さらに、各分岐ダクト３１の開口端部には、図２（ａ）に示すように、開口端部の内面に嵌合して軸方向にスライド自在なスライド継手３２が装着されている。このスライド継手３２の先端側（スリーブ６１側）には、凸状で周方向に沿って延びるストッパ３２ａが形成され、スライド継手３２が分岐ダクト３１内に埋もれないようになっている。そして、図２（ｂ）に示すように、スライド継手３２を引き出すことで、その先端部がスリーブ６１内に嵌合するようになっている。
【００２５】
また、図１中符号３３は、例えば内径が２００ｍｍ以下の小径ダクトで、その開口端部が、天井ボードに取り付けられる吹出口と連通するようになっている。さらに、図１中符号８は、デッキプレート２の下面に取り付けられた小梁であり、図中水平方向に延び、デッキプレート２の大きさや必要強度などに応じて複数配設されている。
【００２６】
このようなフロアユニット１の製作（地組作業）は、地上で行い、つまり構築途上の建物内で行い、屋外のストックヤードに保管し、建築の進捗に伴って後述するようにタワークレーンなどで揚重する。ここで、保管に際しては、図３に示すように、フロアユニット１を積み重ねてもよい。すなわち、鋼材フレーム１０１を床の両側に配置し、フロアユニット１のダクト３などを下側に向けた状態で、小梁８を鋼材フレーム１０１間に架設、載置する。同様にして、このフロアユニット１のデッキプレート２の上に鋼材フレーム１０１を載置し、この鋼材フレーム１０１の上に次のフロアユニット１を載置する。
【００２７】
次に、このようなフロアユニット１を用いたユニットフロア工法について説明する。
【００２８】
まず、予め地上にて、図４に示すように、大梁６を構成するにＩ型鋼（鋼材）に、開口６ａを形成してスリーブ６１を取り付ける。すなわち、スリーブ６１に第１の耐火被覆材６２を巻いた状態の外形に相当する開口６ａを、Ｉ型鋼のウェブ部６ｂに形成する（図４（ａ）参照）。そして、鉄筒からなるスリーブ６１に第１の耐火被覆材６２を巻いて開口６ａに挿入する。スリーブ６１の支持は、例えば、穴あきアングルをウェブ部６ｂにボルト接続し、Ｕバンドで固定する（図４（ｂ）参照）。こうすることで、分岐ダクト３１側での吊支持の仕様を低減できるものである。また、別の方式として、ウェブ部６ｂに近いスリーブ６１の部位に、第１の耐火被覆材６２を被覆しないで金具を取り付け、ウェブ部６ｂに予め形成した小穴に金具を差し込んで、スリーブ６１を大梁６に固定してもよい。さらに、スリーブ６１の周辺には、開口６ａを補強するためのブレース（筋かい）などを取り付ける。このようなスリーブ６１の取り付けは、フロアユニット１の製作と並行して行ってもよい。なお、スリーブ６１を固定した後に、後述するように第２の耐火被覆材６３を大梁６に巻き付けるため、その内部は耐火空間となり、第１の耐火被覆材６２が容易には脱落しない。
【００２９】
ここで、第１の耐火被覆材６２は必要に応じてスリーブ６１に巻けばよい。また、例えば特許第４０８２６８７号（図２（ｂ）参照）に示されるように、Ｉ型鋼の両フランジ部６ｃに沿って第２の耐火被覆材６３を大梁６に巻き付けることもできる。このとき、予め第２の耐火被覆材６３に開口を形成し、開口にスリーブ６１の両開口端部を挿入して、両開口端部を第２の耐火被覆材６３から突出させる。このような第２の耐火被覆材６３の取り付けは、後述するようにして大梁６を柱に設置した後に行ってもよい。
【００３０】
次に、以上のようにして必要な位置にスリーブ６１を取り付けた大梁６を、タワークレーンなどで揚重して、図５に示すように、柱（図示せず）に固定、据え付ける。続いて、フロアユニット１をタワークレーンなどで揚重し、図６に示すように、大梁６の上に架設して、大梁６に固定、配設する。このとき、図２（ａ）に示すように、スライド継手３２を分岐ダクト３１側に収容した状態で配設し、スライド継手３２とスリーブ６１との間には、隙間が形成される。
【００３１】
続いて、スライド継手３２を対向する開口端部側、つまりスリーブ６１の開口端部側にスライドさせ（引き出し）、図２（ｂ）に示すように、スライド継手３２の先端部をスリーブ６１内に嵌合させる。そして、スライド継手３２とスリーブ６１とをビス止めして、分岐ダクト３１とスリーブ６１とを接続する。さらに、後工程で、防露のためのグラスウールなどの断熱材を、ビス止め部を含むスライド継手３２や分岐ダクト３１に巻き付ける。なお、上記のように、スリーブ６１は第１の耐火被覆材６２によって耐火処理が施され、大梁６への耐火処理とともに延焼対策が講じられている。このようにして複数のフロアユニット１を配設し、それぞれの分岐ダクト３１とスリーブ６１とを接続することで、分岐ダクト３１がスリーブ６１を介して隣接するゾーン（フロアユニット）のダクトと接続（連通）される。
【００３２】
次に、主ダクト３と空調機７とを接続する。まず、次のようにして空調機７を設置する。最初に、空調機７をタワークレーンなどで揚重して、図７に示すように、機械室Ｒ内に搬入し、設置予定位置の近くまでキャスタ移動する。また、シャフトユニット７１を揚重して機械室Ｒに据え付ける。
【００３３】
続いて、機械室Ｒ側からフロアユニット１が配設される室内側（図中左右側）に向けて、空調機のダクトを突出させる。すなわち、図８に示すように、消音チャンバ７２に短管（空調機のダクト）７３を取り付けて一体とし、消音チャンバ７２に第３の耐火被覆材７２Ａを巻き付け、短管７３の間仕切り貫通予定部位、つまり後述する間仕切りとしてのＬＧＳ（Ｌｉｇｈｔ  Ｇａｕｇｅ  Ｓｔｅｅｌ）壁７６を貫通する部位に、第４の耐火被覆材７３Ａを巻き付ける。そして、このような一体物を、短管７３が室内側に向くように、吊りボルト７４で機械室Ｒの天井スラブＲ１から共吊りする。
【００３４】
次に、空調機７を設置予定位置、つまり消音チャンバ７２の真下までキャスタ移動して床に据え付け、図９に示すように、接続ダクト７５を介して空調機７と消音チャンバ７２とを接続する。さらに、計装配線や熱源水配管の施工など、空調機廻りの工事を行う。
【００３５】
続いて、図１０に示すように、巻き付けた第４の耐火被覆材７３Ａの外形状に相当するダクト貫通口７６ａをＬＧＳ壁７６に形成し、このダクト貫通口７６ａに短管７３を貫通させながら、ＬＧＳ壁７６を空調機７の両側に建て込む。これにより、空調機７が外部から仕切られ、短管７３がＬＧＳ壁７６から突出した状態となる。このように、消音チャンバ７２や短管７３の取り付け、空調機７との接続などを、ＬＧＳ壁７６を建て込む前に行うことで、狭所での作業が回避され、作業性が向上する。最後に、第４の耐火被覆材７３Ａとダクト貫通口７６ａと隙間に、耐火材としてのロックウールを詰め、アルミテープで表面処理する。
【００３６】
このような空調機７の設置は、上記のフロアユニット１の製作やスリーブ６１の取り付けなどとは独立して行い、どちらを先に施工しても良いが、壁材の建て込みの作業性を考慮すると、空調機７の設置を先にした方が有利である。
【００３７】
次に、上記のようにして配設したフロアユニット１の主ダクト３と空調機７の短管７３とを接続する。このとき、空調機７からの調和空気は大風量であることから、矩形ダクトによる接続となる場合が多く、別途用意した防火ダンパを介して短管接続するものである。
【００３８】
以上のように、このユニットフロア工法によれば、フロアユニット１を配設した際に、分岐ダクト３１とスリーブ６１との間に隙間が生じていても、スライド継手３２をスリーブ６１側にスライドさせることで、分岐ダクト３１とスリーブ６１とが接続される。このため、隙間が生じても現場にて短管を製作することなく、分岐ダクト３１とスリーブ６１との接続を容易に行うことができる。また、分岐ダクト３１をスリーブ６１に接するように配設する必要がなく、分岐ダクト３１の配設精度を緩めることができる。
【００３９】
一方、予め地上で大梁６にスリーブ６１を取り付けるため、柱に設置した後に取り付ける場合に比べて、その取り付け作業を容易、安全に、かつ精度高く行うことができる。また、大梁６の強度に影響を与え、慎重を要する開口６ａの開口作業や開口後の補強を、安定して行うことができる。さらに、フロアユニット１の製作を構築途上の建物内で行い、ストックヤードに積み重ねて保管するため、建築現場での作業スペースが整然とし、また、フロアユニット１の揚重工程を標準化することが可能となる。また、空調機７をＬＧＳ壁７６で仕切り、短管７３をＬＧＳ壁７６から突出させた後に、フロアユニット１の主ダクト３と空調機７の短管７３とを接続するため、この接続作業をフロアユニット１の分岐ダクト３１とスリーブ６１との接続などと同時に行うことができ、施工性が向上する。
【００４０】
（実施の形態２）
この実施の形態では、分岐ダクト３１とスリーブ６１との接続方法が実施の形態１と異なり、実施の形態１と同等の構成要素については、同一符号を付することで、その説明を省略する。
【００４１】
この実施の形態では、各分岐ダクト３１の軸方向が接続予定のスリーブ６１の軸方向と一致するように、各分岐ダクト３１がデッキプレート２に配設されている。つまり、分岐ダクト３１の軸心とスリーブ６１の軸心とが一致している必要はなく、図１１（ａ）に示すように、双方の軸方向が一致していれば軸心がずれていてもよい。そして、このような分岐ダクト３１が配設されたフロアユニット１を大梁６に据え付けた後に、図１１（ｂ）に示すように、分岐ダクト３１の開口端部に配設したフレキシブル継手３４をずれに合わせて曲げながら、その端部（自由端部）をスリーブ６１の開口端部に接続して、分岐ダクト３１とスリーブ６１とを接続する。ここで、フレキシブル継手３４は、可撓性が高いダクトで、フロアユニット１を大梁６に据え付ける前に分岐ダクト３１に取り付ける方が、その取付作業性がよいが、フロアユニット１を据え付けた後に取り付けてもよい。
【００４２】
この実施の形態によれば、フレキシブル継手３４を介して分岐ダクト３１とスリーブ６１とを接続するため、分岐ダクト３１とスリーブ６１とにずれが生じていても、現場で短管を製作することなく、両者の接続を容易に行うことができる。従って、分岐ダクト３１の軸心をスリーブ６１の軸心に一致させて配設する必要がなく、配設精度を緩めることができる。
【００４３】
（実施の形態３）
この実施の形態では、予めフロアユニット１に大梁６が配設されている点で実施の形態１と異なり、実施の形態１と同等の構成要素については、同一符号を付することで、その説明を省略する。
【００４４】
この実施の形態では、予め地上にて、デッキプレート２の下面に大梁６を組み付けて（大梁６の上端とデッキプレート２の下面とを溶接などで固定して）一体化し、これをフロアユニット１とする。このとき、小梁８を大梁６に組み付けた後に、これらをデッキプレート２の下面に組み付ける。
【００４５】
そして、このようなフロアユニット１をタワークレーンなどで揚重して柱に据え付け、分岐ダクト３１とスリーブ６１とを接続する。ここで、分岐ダクト３１とスリーブ６１との接続は、スライド継手３２によってもよいし、フレキシブル継手３４によってもよい。
また、隣接するゾーンのダクトを同様にしてスリーブ６１に接続することで、分岐ダクト３１がスリーブ６１を介して隣接するゾーンのダクトと接続される。
【００４６】
この実施の形態によれば、予め地上でデッキプレート２に大梁６を組み付けるため、柱に固定された大梁６にフロアユニット１を据え付ける場合に比べて、その作業が容易となり、しかも、分岐ダクト３１とスリーブ６１との位置合わせを精度高く行うことができる。また、上記のようにフロアユニット１を積み重ねて保管する場合（図３参照）には、フロアユニット１の大梁６を鋼材フレーム１０１間に架設、載置してもよい。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、消音チャンバ７２と短管７３とを共吊りする前に短管７３に第４の耐火被覆材７３Ａを巻き付けているが、共吊りした後に巻き付けてもよい。また、空調機７を設置する前に消音チャンバ７２と短管７３を配設しているが、空調機７を設置した後に消音チャンバ７２と短管７３を配設してもよい。さらに、フロアユニット１の主ダクト３と空調機７の短管７３との接続を、接続ダクト７５と空調機７との接続の前に行ってもよいし、並行に行ってもよい。また、実施の形態１では、分岐ダクト３１にスライド継手３２を装着しているが、スリーブ６１に装着してもよく、また、スライド継手３２を分岐ダクト３１の開口端部の外面に嵌合する（スライド継手３２が分岐ダクト３１の外周側に位置する）ようにしてもよい。
【産業上の利用可能性】
【００４８】
以上のように、この発明に係るユニットフロア工法は、ダクトとスリーブとの接続や、ダクトと空調機との接続などを容易に行うことができるものとして極めて有用である。
【図面の簡単な説明】
【００４９】
【図１】この発明の実施の形態１に係るフロアユニットを示す見上げ図である。
【図２】この発明の実施の形態１における分岐ダクトとスリーブとの接続方法を示す正面図であり、（ａ）は、分岐ダクトとスリーブとの間に隙間がある状態を示し、（ｂ）は、スライド継手をスライドしてスリーブ内に嵌合させた状態を示す。
【図３】図１のフロアユニット１を積み重ねた状態を示す正面図である。
【図４】この発明の実施の形態１におけるスリーブの取付方法を示す正面図であり、（ａ）は、大梁に開口を形成した状態を示し、（ｂ）は、スリーブに耐火被覆材を巻いて開口に取り付けた状態を示す。
【図５】この発明の実施の形態１において、大梁を柱に据え付けた状態を示す見上げ図である。
【図６】図５の大梁に図１のフロアユニットを配設した状態を示す見上げ図である。
【図７】この発明の実施の形態１において、空調機を機械室内に搬入した状態を示す正面図である。
【図８】図７の後に、消音チャンバと短管とを機械室の天井スラブから共吊りした状態を示す正面図である。
【図９】図８の後に、空調機を消音チャンバと接続した状態を示す正面図である。
【図１０】図９の後に、ＬＧＳ壁を空調機の両側に建て込んだ状態を示す正面図である。
【図１１】この発明の実施の形態２における分岐ダクトとスリーブとの接続方法を示す正面図であり、（ａ）は、分岐ダクトとスリーブとの間に隙間がある状態を示し、（ｂ）は、フレキシブル継手を介して分岐ダクトとスリーブとを接続した状態を示す。
【符号の説明】
【００５０】
１          フロアユニット
２          デッキプレート（フロアプレート）
３          主ダクト
３１        分岐ダクト
３２        スライド継手
３３        小径ダクト
３４        フレキシブル継手
４          可変風量装置
５          風量調整ダンパ
６          大梁（梁）
６ａ        開口
６１        スリーブ
６２、６３  耐火被覆材
７          空調機
７２        消音チャンバ
７３        短管（空調機のダクト）
７５        接続ダクト
７６        ＬＧＳ壁（間仕切り）
８          小梁
Ｒ          機械室
【図１】
0005110587.tif 000002
【図２】
0005110587.tif 000003
【図３】
0005110587.tif 000004
【図４】
0005110587.tif 000005
【図５】
0005110587.tif 000006
【図６】
0005110587.tif 000007
【図７】
0005110587.tif 000008
【図８】
0005110587.tif 000009
【図９】
0005110587.tif 000010
【図１０】
0005110587.tif 000011
【図１１】
0005110587.tif 000012